(57)【要約】      （修正有）【課題】観察装置と被観察眼との間の位置調整が容易で、被観察者自身が簡便に涙液層の状態など眼の表面の状態を観察することができる観察装置を提供する。【解決手段】被観察者の眼を観察する観察装置であって、眼に照明パターンを有する照明光を照射する照明部と、観察装置から伸縮自在に突出し、被観察者の顔に突当たることで眼と観察装置との間の作動距離を設定する突当て部と、作動距離における照明光の眼の表面による反射像を検出する検出部と、作動距離及び反射像に基づいて突当て部の目標突出量を算出する算出部と、を備える。【選択図】図１
2017153648.tif 000002
【特許請求の範囲】
【請求項１】
被観察者の眼を観察する観察装置であって、
前記眼に照明パターンを有する照明光を照射する照明部と、
前記観察装置から伸縮自在に突出し、前記被観察者の顔に突当たることで前記眼と前記観察装置との間の作動距離を設定する突当て部と、
前記作動距離における前記照明光の前記眼の表面による反射像を検出する検出部と、
前記作動距離及び前記反射像に基づいて前記突当て部の目標突出量を算出する算出部と、
を備える観察装置。
【請求項２】
前記算出部は、前記反射像の大きさ及び形状のうち少なくとも１つに基づいて、前記目標突出量を算出する請求項１に記載の観察装置。
【請求項３】
前記照明パターンは、明部及び暗部を有するリング状パターンであり、前記算出部は、前記反射像における前記明部の周期又は前記暗部の周期に基づいて、前記目標突出量を算出する請求項１に記載の観察装置。
【請求項４】
前記照明部の発光面は円錐台の内側面の形状を有し、前記発光面の中心軸が前記光学系の光軸と同軸となるように配された請求項１乃至３のいずれか１に記載の観察装置。
【請求項５】
前記目標突出量を提示する提示手段を備える請求項１乃至４のいずれか１に記載の観察装置。
【請求項６】
前記突当て部が前記被観察者の顔に突当たった際に前記眼の網膜と共役な位置に配されるように構成された表示デバイスを備え、前記表示デバイスは前記目標突出量を表示する請求項１乃至５のいずれか１に記載の観察装置。
【請求項７】
前記突当て部を駆動する駆動部を備え、
前記駆動部は、前記突当て部を前記目標突出量に応じた量だけ移動させる請求項１乃至４のいずれか１に記載の観察装置。
【請求項８】
前記突当て部が前記被観察者の顔に突当たった際に前記眼の網膜と共役な位置に配されるように構成された表示デバイスを備え、前記表示デバイスは、前記光学部の光軸に対して前記眼をアライメントするためのアライメントガイド、又は前記眼の表面の観察対象を示す観察箇所ガイドのうち少なくとも１つを前記反射像に重ねて表示する請求項１乃至７のいずれか１に記載の観察装置。
【請求項９】
前記被観察者の顔に前記突当て部が突当たっていることを検出する突当り検出センサを備え、前記検出部は前記突当て部が前記被観察者の顔に突当たっていると検出された場合に前記反射像を検出するように構成されている請求項１乃至８のいずれか１に記載の観察装置。
【請求項１０】
照明パターンを有する照明部、伸縮自在に突出する突当て部、検出部、及び算出部を有する観察装置により被観察者の眼を観察する観察方法であって、
前記照明部が、前記眼に所定の照明パターンを有する照明光を照射するステップと、
前記突当て部が、前記被観察者の顔に突当たることで前記眼と前記観察装置との間の作動距離を設定するステップと、
前記検出部が、前記作動距離における前記照明光の前記眼の表面による反射像を検出するステップと、
前記算出部が、前記作動距離及び前記反射像に基づいて前記突当て部の目標突出量を算出するステップと、
を有する観察方法。
【発明の詳細な説明】
【技術分野】
【０００１】
本発明は、観察装置及び観察方法に関し、特に眼の表面の状態を観察する観察装置及び観察方法に関する。
【背景技術】
【０００２】
眼の表面の状態を非侵襲的に調べるための観察装置として、角膜表面による光の反射像を用いた光学的な検査装置が知られている。
【０００３】
例えば、特許文献１には、角膜表面に複数のリング光を投影する手段と、投影された複数のリング光の反射像である複数のリング像の歪み度を算出し、涙液層の状態を評価する手段を有する眼科装置が開示されている。また、特許文献２には、可動部を有する当接部材により被検者の顔面を装置に固定する眼科装置が開示されている。
【先行技術文献】
【特許文献】
【０００４】
【特許文献１】特許第４６２４１２２号公報
【特許文献２】特開平７−１９４５４７号公報
【発明の概要】
【発明が解決しようとする課題】
【０００５】
涙液層の状態を光学的に検査する眼科装置において、被検眼と眼科装置との間の位置関係（軸及び距離）を調整し、保持するため、位置ずれを検出する光学系や、位置ずれに応じて被検眼に対して眼科装置全体を移動させる機構を含み、大型で高価な据え置き型装置となっていた。また、当該被検眼と眼科装置との当該位置関係の調整は、専門知識を有した検者によって行われる必要があったこと等が、従来の課題の例として挙げられる。
【０００６】
本発明は上記した点に鑑みてなされたものであり、観察装置と被観察眼との間の位置調整が容易で、被観察者自身が簡便に涙液層の状態など眼の表面の状態を観察することができる観察装置を提供することを目的の一つとしている。
【課題を解決するための手段】
【０００７】
請求項１に記載の発明は、被観察者の眼を観察する観察装置であって、眼に照明パターンを有する照明光を照射する照明部と、観察装置から伸縮自在に突出し、被観察者の顔に突当たることで眼と観察装置との間の作動距離を設定する突当て部と、作動距離における照明光の眼の表面による反射像を検出する検出部と、作動距離及び反射像に基づいて突当て部の目標突出量を算出する算出部と、を備える。
【０００８】
請求項１０に記載の発明は、照明パターンを有する照明部、伸縮自在に突出する突当て部、検出部、及び算出部を有する観察装置により被観察者の眼を観察する観察方法であって、照明部が眼に所定の照明パターンを有する照明光を照射するステップと、突当て部が被観察者の顔に突当たることで眼と観察装置との間の作動距離を設定するステップと、検出部が作動距離における照明光の眼の表面による反射像を検出するステップと、算出部が作動距離及び反射像に基づいて突当て部の目標突出量を算出するステップと、を有する。
【図面の簡単な説明】
【０００９】
【図１】観察装置１０の構成を模式的に示すブロック図である。
【図２】観察装置１０の構成の一部に係る光線の経路を示す光線図である。
【図３】（ａ）作動距離が最適作動距離よりも大きい場合に、角膜表面により反射される光の経路を示す光線図である。         （ｂ）作動距離が最適作動距離である場合に、角膜表面により反射される光の経路を示す光線図である。         （ｃ）作動距離が最適作動距離よりも小さい場合に、角膜表面により反射される光の経路を示す光線図である。
【図４】（ａ）作動距離が最適作動距離よりも大きい場合の、リング状パターンの模式図及びリング状パターンの輝度分布を示すグラフである。         （ｂ）作動距離が最適作動距離である場合の、リング状パターンの模式図及びリング状パターンの輝度分布を示すグラフである。         （ｃ）作動距離が最適作動距離よりも小さい場合の、リング状パターンの模式図及びリング状パターンの輝度分布を示すグラフである。
【図５】観察装置１０による観察方法の例を示すフローチャートである。
【発明を実施するための形態】
【００１０】
以下に本発明の好適な実施例を詳細に説明する。なお、以下の説明及び添付図面においては、実質的に同一又は等価な部分には同一の参照符号を付している。
【実施例１】
【００１１】
図１乃至４を参照し、本実施例に係る観察装置１０の構成について説明する。図１は、観察装置１０の構成を模式的に示すブロック図である。観察装置１０は、光学系１１、照明部１７、突当て部２０、格納部２８、及びプロセッサ２９から構成されている。光学系１１と照明部１７とを観察装置１０の本体と称する。観察装置１０の観察対象である（被観察）眼３０についても共に図中に示している。眼３０は、角膜３１、眼球３２、虹彩３３、及び網膜３６を有する。眼３０の周辺である被観察者の瞼３４及び顔３５についても共に示している。
【００１２】
光学系１１は、対物レンズ１２、結像レンズ１３、撮像素子１４、表示デバイス１５、及びハーフミラー１６を備えている。また、照明部１７は、発光面１７ａを有している。照明部１７の発光面１７ａからの照明光が角膜３１によって反射されて光学系１１に導入される。当該照明光の光線ＬＲの経路を示す光線図を図１中に示している。また、光学系１１の光軸を光軸Ｘとする。なお、表示デバイス１５及びハーフミラー１６に関する光線については図示を省略している。
【００１３】
光学系１１において、対物レンズ１２は、角膜３１により反射された光を集光する。結像レンズ１３は、対物レンズ１２によって集光された光を結像する。撮像素子１４は、結像レンズ１３によって結像された像をデジタル信号に変換する。
【００１４】
照明部１７は、内側面に発光面１７ａを有している。照明部１７の発光面１７ａは、円錐台の側面の形状（コーン形状）を有している。より詳細には、照明部１７の発光面１７ａの中心軸（すなわち、当該円錐台の中心軸）は光学系１１の光軸Ｘと同軸である。そして、当該円錐台の上面及び底面に相当する２つの開口部のうち、大なる開口部（底面）が眼３０の方向に向けて配されており、照明光が眼３０に照射される。
【００１５】
発光面１７ａは、非発光部１７ｂと発光部１７ｃとから構成されている。非発光部１７ｂと発光部１７ｃとの形状によって、パターンが形成されている。したがって、パターンが形成された発光面１７ａから出射される照明光は、照明パターンを有している。
【００１６】
照明パターンの形状は、光軸Ｘを中心として発光部１７ｃが点対称に配されたパターンなど、反射像における各明部の大きさの差異やパターンの部分的な歪などが見分けやすいものが好ましい。パターンの形状は、例えばリングパターン、ハッチングパターンなどを用いることができる。本実施例において、照明パターンは光軸Ｘを中心とした大きさの異なる同心円が等間隔に複数配された形状のリングパターンである。
【００１７】
照明部１７の発光面１７ａから出射された照明光は角膜３１に照射される。角膜３１は凸面鏡の形状を有している。したがって、照明部１７の照明光が角膜３１の表面を凸面鏡として反射されることにより、発光面１７ａの虚像である反射像３７が生成される。
【００１８】
また、反射像３７は、上記したように、撮像素子１４によってデジタル信号に変換される。当該デジタル信号（画像データ）は、表示デバイス１５によって表示されるように構成されている。
【００１９】
図２は、観察装置１０の光学系１１、照明部１７、及び眼３０について示し、表示デバイス１５による表示について説明する図である。図２を参照して、表示デバイス１５及びハーフミラー１６の機能について説明する。表示デバイス１５から出射される表示光ＬＤの経路を示す光線について、図２に示している。表示デバイス１５は、撮像素子１４からの画像データ及びプロセッサ２９で処理された画像データを表示する表示画面を備えている。なお、照明光の光線ＬＲの経路については、図示を省略している。
【００２０】
表示デバイス１５の表示画面の中心軸は、光学系１１の光軸Ｘと垂直であるように配されている。また、眼球３２及び角膜３１の中心軸が光軸Ｘ上に位置するようアライメントされている場合において、表示デバイス１５は、表示デバイス１５と網膜３６とが光学的に共役な位置になるように設けられている。
【００２１】
ハーフミラー１６は、表示デバイス１５から出射された表示光ＬＤを反射して対物レンズ１２に導入する。対物レンズ１２によって集光された表示光ＬＤは、角膜３１、虹彩３３、水晶体（図示せず）等を経て網膜３６で結像する。したがって、表示デバイス１５に表示された画像は、被観察者によって視認される。
【００２２】
図１に示す突当て部２０は、少なくとも２つの突当て部材からなり、観察装置１０の本体から眼３０の方向に突出するように構成されている。また、突当て部２０は、調整部２１を備え、伸縮自在に構成されている。調整部２１によって、突当て部２０が眼３０の方向に突出した部分の長さ、すなわち突出量を変更して調整することができる。
【００２３】
突当て部２０が被観察者の顔３５に突当たり、突出量が調整されることによって、眼３０と観察装置１０との間の作動距離、すなわち角膜３１と観察装置１０（光学系１１）との間の距離である作動距離ｄが確定する。なお、調整部２１の調整機構については、種々の長さ調整機構から適宜採用することができる。例えば、ロックピンを使用した段階的に固定可能な構成、又は繰り出し式などの構成を適用してもよい。
【００２４】
プロセッサ２９は、例えばＣＰＵ（Central Processing Unit）であり、演算処理を行う。プロセッサ２９は、画像処理部２２、検出部２３、算出部２４、及び検査部２５を備えている。格納部２８は、ＨＤＤ（Hard Disk Drive）、半導体メモリなど、データの消去・書き込み可能な格納装置により構成される。格納部２８には、例えば、画像処理を実行するプログラムや、算出部が使用する計算式、測定結果などが格納される。
【００２５】
プロセッサ２９及び格納部２８は、外部装置に組み込まれていてもよい。また、プロセッサ２９及び格納部２８の一部分が観察装置１０に備えられていても良い。
【００２６】
ここで、突当て部２０について詳細に説明する。上述したように、突当て部２０の突出量が確定すると、作動距離ｄが確定する。作動距離ｄが確定すると、反射像３７の大きさが確定する。
【００２７】
反射像３７を生成する際に、照明光は、角膜３１表面により反射され、対物レンズ１２を通過する。照明光が反射される角膜３１の表面の範囲（領域）が、観察装置１０によって眼３０の観察をする際の観察範囲となる。観察範囲は、観察の目的に合わせて、許容範囲内とする必要がある。
【００２８】
例えば、観察範囲は、眼３０の角膜表面に形成された涙液層の状態を検査する場合における検査範囲である。反射像３７から涙液層の状態を判定するために、検査範囲を許容範囲内とする必要がある。例えば、検査範囲が許容範囲よりも小さい場合、角膜表面に涙液層の無くなった箇所（ドライスポット）が存在しても検査範囲外となり、発見できない可能性がある。
【００２９】
また、検査範囲が被観察者毎に異なる場合、結果についての判定の精度が低下するなど、目的の結果が得られない場合がある。検査範囲が許容範囲よりも大きい場合には、照明パターンの反射像３７が大きくなることにより、反射像３７中のパターンの歪が見分けにくくなるなどの懸念がある。
【００３０】
図３を参照し、観察範囲、反射像３７、及び作動距離ｄとの関係について説明する。図３（ａ）〜（ｃ）は、角膜３１によって反射された照明光が対物レンズ１２、結像レンズ１３を経て撮像素子１４に結像するまでの光線の経路を示した光線図である。図３（ｂ）は、観察範囲が最適値である場合を模式的に示している。最適値とは、許容範囲内の中心の値である。図３（ｂ）において、反射像３７のサイズは最適反射像サイズＩＭＺ、作動距離は最適作動距離Ｚである。
【００３１】
図３（ａ）に示すように、角膜３１が対物レンズ１２から遠ざかっている場合（すなわち、作動距離ｄ１がＺより大きい場合）は、角膜３１表面のより狭い範囲において反射され、観察範囲は狭くなる。したがって、より小さい反射像ＩＭ１が結像する。
【００３２】
図３（ｃ）に示すように、角膜３１が対物レンズ１２に近づいている場合（すなわち、作動距離ｄ２がＺより小さい場合）は、角膜３１表面のより広い範囲において反射され、観察範囲は広くなる。したがって、より大きい反射像ＩＭ２が結像する（ｄ１＞Ｚ＞ｄ２）。
【００３３】
最適作動距離Ｚは、突当て部２０の突出量の目標値、すなわち目標突出量に換算することができる。目標突出量は、反射像３７の画像データに基づいて算出することができる。より詳細には、（照明パターンを有する照明光の）反射像３７の大きさ又は形状のうち少なくとも一方に基づいて、算出することができる。また、目標突出量は、照明パターンが明部及び暗部を有するリング状パターンである場合に、反射像３７における明部の周期又は暗部の周期に基づいて算出することもできる。
【００３４】
図４は、図３（ａ）〜（ｃ）における反射像３７が所定の周期を有するリング状パターンである場合について示した模式図である。リング状パターンである反射像３７を示す図（以下、リング像と称する）には、輝度が高い明部、輝度が低い暗部が周期的に配されている。図４（ａ）及び図４（ｃ）には、図４（ｂ）のリング像と同じ最適反射像サイズの円を破線により示している。
【００３５】
例えば、反射像３７のサイズ（直径）の許容範囲を、図４（ｂ）の反射像の最適な直径の±１０％以内であるとした場合について説明する。図４（ａ）は、反射像３７の直径が最適な場合（図４（ｂ））の９０％未満となった場合について示しており、図４（ｃ）は反射像３７の直径が最適な場合（図４（ｂ））の１１０％を超える場合を示している。図４（ａ）及び図４（ｃ）は、反射像３７の直径が許容範囲外である場合を示しており、図４（ｂ）の反射像の最適な直径の±１０％以内になるように作動距離ｄを調整する必要がある。
【００３６】
また、それぞれのリング像の下に示すグラフは、リング像の中心Ｏからの距離を横軸として、各距離における輝度の分布（空間周波数）を示している。リング像中の直線Ｏ−ｐは、輝度分布のグラフの横軸に対応しており、各リング像の中心Ｏから外側へ向かう方向の距離を示している。なお、リング像の中心Ｏは、光軸Ｘ上であるようにアライメントされている。
【００３７】
輝度の分布のグラフより、明部の周期及び暗部の周期がわかる。図４（ｂ）における明部の周期及び暗部の周期をそれぞれＥ及びＦとしている。明部の周期及び暗部の周期は、反射像３７のサイズに対応している。すなわち、明部の周期及び暗部の周期が大きくなれば、反射像３７のサイズも大きくなり、また、明部の周期及び暗部の周期が小さくなれば、反射像３７のサイズも小さくなる。
【００３８】
上記したように、反射像３７の許容範囲を最適サイズに対して、例えば±１０％以内とした場合では、反射像３７の明部又は暗部の周期がＥ及びＦの１０％以内となるように、眼３０と観察装置１０（光学系１１）との間の距離（作動距離）を調整すればよい。
【００３９】
したがって、算出部２４は、図４（ａ）及び図４（ｃ）における照明パターンの明部の周期又は暗部の周期がＥ及びＦに近づくように、目標突出量を算出する。すなわち、図４（ａ）及び図４（ｃ）における明部の周期又は暗部の周期に基づいて、図４（ｂ）（最適作動距離Ｚ）における明部の周期又は暗部の周期を目標値として、目標突出量を算出することができる。
【００４０】
つまり、照明光が角膜３１によって反射され、生成された反射像３７の大きさが所定の範囲内であるように、光学系１１と眼３０との間の距離（作動距離）が定められる。
【００４１】
なお、目標突出量は、プロセッサ２９が備える算出部２４によって算出される。算出部２４における目標突出量の算出は、例えば計算式やデータテーブルなどを格納部２８に予め格納しておくことにより、実行することができる。例えば、リング状パターンのリング像における明部の周期又は暗部の周期と、作動距離ｄとの関係についてのデータテーブルが格納部２８に格納されていてもよい。また、データテーブルから得られた計算式が格納部２８に格納されていてもよい。
【００４２】
以上説明したように、目標突出量を算出し、算出された目標突出量になるように、突当て部２０の突出量を調整することによって、角膜３１の表面のうち所定の範囲を観察することが可能な作動距離ｄに設定することができる。
【００４３】
観察装置１０は、算出された目標突出量を提示する提示手段を備えている。例えば、表示デバイス１５により目標突出量の値が表示される。なお、提示手段は、外部の表示画面に表示する装置でもよく、音声などによって被観察者に知らせるシステムでもよい。
【００４４】
また、観察装置１０は、最適反射像サイズを表示することもできる。例えば、図４（ａ）及び図４（ｃ）に破線で示すように、反射像３７を表示する画像に重ねて、最適反射像サイズを表示することができる。表示デバイス１５は、画像処理部２２からのデータに基づいて、反射像３７の表示に重ねて、最適反射像サイズを示すように構成されていてもよい。また、反射像３７及び最適反射像サイズの表示は、外部の表示装置の表示画面に表示されてもよい。
【００４５】
調整部２１は、駆動機構を備えており、目標突出量に応じて突出量の調整を自動的に行うことができる。具体的には、算出部２４からの目標突出量に関する信号に基づいて、目標突出量となるように、突出部２０の突出量を変更する。
【００４６】
なお、突出量の調整は、手動で行うように構成されていてもよい。例えば表示デバイス１５によって突出量調整のガイダンスが表示され、これに従って被観察者が調整する。突出量調整方法のガイダンスは、調整部２１の調整方法に応じて行われる。例えば調整部２１が目盛りを有している場合、どの目盛りに合わせればよいかを表示する。
【００４７】
続いて、本実施例に係る観察装置１０を用いた観察方法について説明する。図５は、観察装置１０における観察方法を示すフローチャートである。まず、ステップＳ１１において、照明部１７が発光面１７ａから照明光を角膜３１に照射する。上述したように、角膜３１によって反射された照明光が反射像３７を生成する。
【００４８】
ステップＳ１２において、突当て部２０を被観察者の顔３５に突当て、眼球３２及び角膜３１の中心軸が光軸Ｘ上に位置するようアライメントする（光軸調整）。アライメントは、例えば表示デバイス１５に表示された反射像３７において、反射像３７の中心が光軸Ｘに合うように被観察者によって行われる。光軸Ｘの位置は、表示デバイス１５によって、反射像３７の画像に重ねて表示されてもよい。
【００４９】
光軸調整が完了すると、ステップＳ１３に移り、作動距離調整ルーチンが実行される。
検出部２３が、撮像素子１４及び画像処理部２２からの信号に基づいて、反射像３７を検出する（ステップＳ２１）。また、検出部２３が、突当て部２０の現在位置を検出する（ステップＳ２２）。例えば、突当て部２０は位置センサを備えており、検出部２３が、位置センサからの信号に基づいて、現在位置を検出することができる。
【００５０】
続いて算出部が、ステップＳ２１において検出された反射像３７及びステップＳ２２において検出された現在位置に基づいて、目標突出量を算出する（ステップＳ２３）。ステップＳ２３において算出された目標突出量は、表示デバイスに表示される。
【００５１】
さらに算出部が、突当て部２０の実際の突出量を目標突出量とするための変更量である突当て部修正値を算出する。算出された突当て部修正値が、表示デバイス１５に表示されることによって提示される（ステップＳ２４）。突当て部修正値は、突当て部２０の長さを変更する方向とともに表示されてもよい。例えば、光学系側への変更をマイナス方向、眼３０の側への変更をプラス方向として（＋Δｄ又は−Δｄのように）表示される。また、上述したように、突出量の変更方法などのガイダンスとともに表示されてもよい。
【００５２】
ステップＳ２５において、ステップＳ２４で提示された突当て部修正値に合わせて、突当て部２０の突出量が変更（修正）される。突当て部２０の突出量の変更は、調整部２１が自動的に突出量を変更することにより実行する。なお、上述したように、ステップＳ２５における突出量の修正は、調整部２１により手動にて行われてもよい。突出量の変更（修正）が完了すると、作動距離調整ルーチンを終了する。
【００５３】
作動距離調整ルーチンが終了すると、ステップＳ１４に移り、観察装置１０における観察が実行される。例えば、反射像３７に基づいて、例えば角膜３１上の涙液層などが観察され、一定の指標に従って結果が判定される。観察結果が表示され、観察装置１０による観察が終了する。
【００５４】
当該一定の指標は、例えばリング状の反射像３７の歪度である。観察装置１０には、パターン状の反射像１０に基づいて角膜３１上の涙液層などの状態を検査する検査部２５が設けられている。検査部２５は、反射像３７の画像解析や歪度の算出を行うことができる。
【００５５】
検査部２５による検査は、例えば、次のように行われる。被観察者が開瞼する動作により、検査部２５が反射像３７の検出を開始する。開始から所定の時間、例えば数秒乃至１０数秒間、反射像３７の検出、保存を行う。所定時間の経過後、反射像３７の歪度を解析することにより、眼３０の涙液の状態を判定する。
【００５６】
検査部２５による検査は、作動距離が調整された状態で行われることが好ましい。突当て部２０は、被観察者の顔３５に突当てられた状態を検知する突当り検出センサを備えていてもよい。突当て部２０が被観察者の顔３５に突当てられていると検出された場合にのみ、検出部２３による反射像３７の検出、又は検査部２５による検査が開始されるように構成されていてもよい。また、突当て部２０が被観察者の顔３５に突当たっていない場合には、突当たっていないことを表示デバイス１５に表示するように構成されていてもよい。
【００５７】
なお、本観察方法のうち、手動にて行われる操作は、被観察者自身によって行われることが好ましい。被観察者が行う操作を、被観察者以外の者が行ってもよい。その場合においては、外部の表示装置に表示された反射像３７や目標突出量の表示を見ながら行うことが好ましい。
【００５８】
以上、詳細に説明したように、本願発明の観察装置によれば、観察装置と被観察眼との間の位置調整を簡便に精度良く実施することができる。特に、最適作動距離に対応するように、すなわち、所定の観察領域が得られるように、突当て部の目標突出量を算出して提示することにより、観察装置と被観察眼との間の作動距離を簡便に精度良く調整可能な観察装置を提供することができる。また、被観察者自身が、角膜表面や涙液層の状態など眼の表面の状態を簡便に観察することができる観察装置を提供することができる。
【符号の説明】
【００５９】
１０  観察装置
１１  光学系
１２  対物レンズ
１３  結像レンズ
１４  撮像素子
１５  表示デバイス
１６  ハーフミラー
１７  照明部
１７ａ  発光面
１７ｂ  非発光部
１７ｃ  発光部
２０  突当て部
２１  調整部
２２  画像処理部
２３  検出部
２４  算出部
２５  検査部
２８  格納部
３０  眼
３１  角膜
３６  網膜
３７  反射像（虚像）
【図１】
2017153648.tif 000003
【図２】
2017153648.tif 000004
【図３】
2017153648.tif 000005
【図４】
2017153648.tif 000006
【図５】
2017153648.tif 000007